(57)【要約】【課題】  本発明の目的は、コネクタの誤挿入を簡易に検出できる電子機器を提供することである。【解決手段】  筐体に設けられたＩ／Ｏコネクタ（１２０）と、前記Ｉ／Ｏコネクタに設けられ、前記Ｉ／Ｏコネクタに対応したケーブルプラグ（１３０）が誤挿入された場合に押される検出スイッチ（１５０）と、前記検出スイッチが押された場合に、前記ケーブルプラグが誤挿入された旨を通知する通知手段とを備える電子機器。【選択図】  図３
2005216143.tif 000002
【特許請求の範囲】
【請求項１】
筐体に設けられたコネクタと、
前記コネクタに設けられたスイッチと、
前記スイッチが押された場合に、その旨を通知する通知手段とを備える電子機器。
【請求項２】
スピーカをさらに備え、
前記通知手段は前記スピーカから警告音を出力させることを特徴とする請求項１記載の電子機器。
【請求項３】
発光素子をさらに備え、
前記通知手段は前記発光素子を点灯させることを特徴とする請求項１記載の電子機器。
【請求項４】
表示装置をさらに備え、
前記通知手段は誤挿入された旨を前記表示装置に表示させることを特徴とする請求項１記載の電子機器。
【請求項５】
筐体に設けられたコネクタと、
前記コネクタに設けられ、前記コネクタに対応したプラグが誤挿入された場合に押されるスイッチと、
前記スイッチが押された場合に、その旨を通知する通知手段とを備える電子機器。
【発明の詳細な説明】
【技術分野】
【０００１】
本発明は、パーソナルコンピュータ等の電子機器のI/O(Input/Output)コネクタの実装に関し、特に、コネクタの誤挿入を検出することができる電子機器に関する。
【背景技術】
【０００２】
通常、PC(Personal Computer)には機能を拡張するために、周辺機器を接続するコネクタを実装するが、そのほとんどは実装的な制約あるいは、接続ケーブルの引き回しを考慮して、PCの筐体背面または側面へ実装される。
【０００３】
さらに、その中には、USB(Universal Serial Bus)コネクタやS-Video(Separate Video)コネクタ等の断面形状（または外形）が四角形や円形等の上下対称のコネクタもある。
【０００４】
しかしながら、筐体背面にI/Oコネクタを実装した場合、ユーザーがPCを使用中に接続ケーブルをI/Oコネクタに挿入したとき、コネクタの上下の向きを手探りで確認するか、あるいは筐体背面を確認する必要がある。特に、USBコネクタ等の上下対称のコネクタの場合、手探りで確認することは困難である。
【０００５】
ここで、従来のPBX(Private Branch Exchange)交換機など比較的大規模な電子回路の誤動作防止方法では、CPU(Central Processing Unit)基板を有するシステム側には、ブックシェルフユニットである拡張基板を搭載するために、拡張基板側の複数のピンを接続するコネクタが配置されている。拡張基板側の複数のピンにはID(Identification)用の雄コンタクトがあり、ここでのIDをID1とする。また、システム側のコネクタには雄コンタクトに対応する雌コンタクトがあり、この雌コンタクトにもIDがあり、ID2とする。そして、ID1とID2とが一致しない場合には、拡張基板側のリセット制御回路は当該挿入を誤挿入と判定して、このリセット状態を維持するので、システム側のCPU基板へのアクセスを行わない（例えば特許文献１参照）。
【特許文献１】特開２０００−３９９４０号公報（第４〜５頁、図１）
【発明の開示】
【発明が解決しようとする課題】
【０００６】
しかし、上述した電子回路の誤動作防止方法では、システム及び拡張基板の両方に、通常のコンタクトとは別に、ID用のコンタクトを設ける必要がある。これは、小規模なパーソナルコンピュータ用のコネクタとしては実装が困難である。
【０００７】
本発明の目的は、コネクタの誤挿入を簡易に検出できる電子機器を提供することである。
【課題を解決するための手段】
【０００８】
第１の発明は、筐体に設けられたコネクタと、前記コネクタに設けられたスイッチと、前記スイッチが押された場合に、その旨を通知する通知手段とを備える電子機器である。
【０００９】
第２の発明は、スピーカをさらに備え、前記通知手段は前記スピーカから警告音を出力させることを特徴とする第１の発明記載の電子機器である。
【００１０】
第３の発明は、発光素子をさらに備え、前記通知手段は前記発光素子を点灯させることを特徴とする第１の発明記載の電子機器である。
【００１１】
第４の発明は、表示装置をさらに備え、前記通知手段は誤挿入された旨を前記表示装置に表示させることを特徴とする第１の発明記載の電子機器である。
【００１２】
第５の発明は、筐体に設けられたコネクタと、前記コネクタに設けられ、前記コネクタに対応したプラグが誤挿入された場合に押されるスイッチと、前記スイッチが押された場合に、その旨を通知する通知手段とを備える電子機器である。
【発明の効果】
【００１３】
本発明によれば、コネクタの誤挿入を簡易に検出できる電子機器を提供することができる。
【発明を実施するための最良の形態】
【００１４】
以下、本発明の実施の形態について図面を参照しながら説明する。
【００１５】
図１は本実施形態に係る電子機器の前面側の概略構成図である。ここでは、電子機器の一例としてノート型ＰＣを挙げる。ノート型ＰＣ本体（筐体）１１０の上面には、キーボードやタッチパッド等の入力装置２４０が設けられており、さらに、前面側には電源の状態やバッテリ残量のステータスを示すためのLED(Light Emitting Diode)２２０が設けられている。また、LCD(Liquid Crystal Display)パネルなどの表示装置２６０は、ノート型ＰＣ本体（筐体）１１０に対して回動可能に設けられている。
【００１６】
図２は本実施形態に係る電子機器の背面側の概略構成図である。背面には、周辺機器を接続するためのI/Oコネクタ１２０が設けられている。このI/Oコネクタ１２０には、周辺機器を接続するためのケーブルプラグ１３０が接続される。ここで、I/Oコネクタ１２０及びケーブルプラグ１３０の断面形状（または外形）は、上下対称な四角形である。
【００１７】
図３はI/Oコネクタ１２０の詳細図である。I/Oコネクタ１２０には、ケーブルプラグ１３０の逆挿入を防止するための挿入ガイド１４０が設けられている。そして、挿入ガイド１４０の中に、誤挿入を検出する検出スイッチ１５０が設けられている。検出スイッチ１５０はバネ機構を備えており、押し込むことができるようになっている。
【００１８】
図４は、本実施形態に係る電子機器の概略ブロック図である。ノート型ＰＣ本体１１０には、命令を実行しシステム全体の制御を行うＣＰＵ１６０と、ＣＰＵ１６０を制御するプログラムを格納したり、データを格納したりするＲＡＭ１７０と、チップセット１８０と、I/Oコネクタ１２０の誤挿入を監視したり、入力スイッチ及びステータスＬＥＤ２２０制御等を行うエンベデットコントローラ１９０と、I/Oコネクタ１２０の誤挿入を検出する誤挿入検出回路２００と、ブザー回路及びスピーカ２１０と、入力装置２４０を制御する入力制御モジュール２３０と、表示装置２６０を制御する表示制御モジュール２５０と、ハードディスク等の補助記憶デバイス２８０と、補助記憶デバイス２８０を制御する補助記憶装置I/Fモジュール２７０と、BIOS(Basic Input Output System)を格納するＲＯＭ２９０と、本体及び周辺装置に電源を供給する電源回路３００とを備える。そして、電源回路３００は、本体がＯＦＦ時にも、エンベデットコントローラ１９０と、誤挿入検出回路２００と、ブザー回路及びスピーカ２１０と、並びにステータスＬＥＤ２２０には電源を供給する。
【００１９】
図５は、本実施形態に係る誤挿入検出機構の概略構成図である。I/Oコネクタ１２０には、ケーブルプラグ１３０を上下正しい方向で挿入できるように挿入ガイド１４０がある。挿入ガイド１４０の中にバネ機構を備え、押し込むことができる検出スイッチ１５０が実装されている。検出スイッチ１５０は外部ピン３１０を通してグラウンドに接続される。
【００２０】
一方、I/Oコネクタ１２０には別に検出ピン３２０があり、検出スイッチ１５０が押し込まれた時には、検出ピンに接触する構造になっている。検出ピンはエンベデッドコントローラ１９０に接続され、プルアップ抵抗を通して電源にも接続され、検出信号はHighレベルに固定されている。
【００２１】
また、ケーブルプラグ１３０側にも同様の挿入ガイドがあり、上下正しい方向で挿入されたときには、I/Oコネクタ１２０とケーブルプラグ１３０間で挿入ガイドが干渉することがない。しかし、上下逆にコネクタが挿入された場合には、挿入ガイド同士が干渉するため、検出スイッチ１５０が押される。
【００２２】
検出スイッチ１５０が押された時には、検出スイッチ１５０と検出ピン３２０が接触するため、検出信号はLowレベルになる。エンベデットコントローラ１９０は検出信号がLowになったときにコネクタが誤挿入されたと判定し、ステータスLEDを点灯させる。
【００２３】
このように本実施形態によれば、I/Oコネクタ１２０に検出スイッチ１５０を実装することにより、ユーザが筐体背面を見ることなく、ケーブルプラグ１３０の挿入方向が正しいか否かをユーザに対して通知することができる。
【００２４】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、コネクタの誤挿入を検出したときに、ステータスLEDを点灯させる代わりに、ブザー回路２１０を使用して、アラーム音を鳴らしてもよい。また、ノートPC動作時に、コネクタの誤挿入を検出した場合、OS(Operating System)上で動作するアプリケーションプログラムに検出情報を通知し、誤挿入された旨をメッセージで表示装置に表示してもよい。さらに、コネクタの断面形状（または外形）は四角形のみならず、円形などの上下対称な形状であってもよい。また、コネクタは背面のみならず、側面に設けられていてもよい。
【図面の簡単な説明】
【００２５】
【図１】本実施形態に係る電子機器の前面側の概略構成図。
【図２】本実施形態に係る電子機器の背面側の概略構成図。
【図３】I/Oコネクタ１２０の詳細図。
【図４】本実施形態に係る電子機器の概略ブロック図。
【図５】本実施形態に係る誤挿入検出機構の概略構成図
【符号の説明】
【００２６】
１１０  ノート型ＰＣ本体
１２０  I/Oコネクタ
１３０  ケーブルプラグ
１４０  挿入ガイド
１５０  検出スイッチ
１６０  ＣＰＵ
１７０  ＲＡＭ
１８０  チップセット
１９０  エンベデットコントローラ
２００  誤挿入検出回路
２１０  ブザー回路及びスピーカ
２２０  ＬＥＤ
２３０  入力制御モジュール
２４０  入力装置
２５０  表示制御モジュール
２６０  表示装置
２７０  補助記憶装置I/Fモジュール
２８０  補助記憶デバイス
２９０  ＲＯＭ
３００  電源回路
３１０  外部ピン
３２０  検出ピン
【図１】
2005216143.tif 000003
【図２】
2005216143.tif 000004
【図３】
2005216143.tif 000005
【図４】
2005216143.tif 000006
【図５】
2005216143.tif 000007